(57)【特許請求の範囲】
【請求項１】
調光制御装置により制御信号が供給されるとともに、前記調光制御装置を介して外部電源からの電力が供給される照明装置であって、
前記調光制御装置からの制御信号が供給される調光部と、前記調光制御装置を介して前記外部電源からの電力が供給される電源部と、該電源部からの電力の供給により点灯する光源とを備え、該光源の光量を前記制御信号に基づいて制御する照明装置において、
前記電源部は、前記調光制御装置を介して供給される電源電圧を検出する電源電圧検出部と、該電源電圧検出部による検出電圧が設定値以上のときに、前記光源に電力を供給させる電源制御部とを有し、
前記調光部は、前記電源部が前記光源に供給する電力を前記制御信号に応じて変化させるようにしてあり、
前記設定値は、前記制御信号が与えられた時点において前記電源部に供給される電源電圧の値になるように、予め設定してあることを特徴とする照明装置。
【請求項２】
前記電源制御部は、前記光源の点灯後、
前記検出電圧が、前記電源部の最低動作電圧よりも大きく、且つ前記光源の点灯開始電圧よりも小さい点灯終了電圧に達したときに、前記光源に電力を供給するのを停止することを特徴とする請求項１に記載の照明装置。
【請求項３】
前記電源制御部は、前記電源部への給電の開始（又は終了）に応じて、前記光源に供給する電流及び／又は電圧を逓増（又は逓減）させることを特徴とする請求項１又は２に記載の照明装置。
【請求項４】
前記光源はＬＥＤであることを特徴とする請求項１から３の何れか一つに記載の照明装置。
【請求項５】
請求項１から４の何れか一つに記載の照明装置と、
該照明装置に制御信号を供給すると共に、外部電源からの電力を供給する調光制御装置とを備えることを特徴とする照明システム。
【発明の詳細な説明】
【技術分野】
【０００１】
本発明は、外部から電力が供給される電源部と、該電源部からの電力の供給により点灯する光源とを備え、外部から供給される制御信号に基づいて光源の光量を制御するように構成された照明装置及び照明システムに関する。
【背景技術】
【０００２】
室内外の照明用途に供される照明装置においては、従来、白熱電球、蛍光灯等が光源として用いられている。近年、発光ダイオード（以下ＬＥＤという）の高輝度化が進むと共に、青色ＬＥＤが開発されたことにより、青色ＬＥＤと蛍光体を組み合わせた白色ＬＥＤが実用化され、これに伴い、小型、低消費電力、長寿命等の特性を有するＬＥＤが照明用の光源として用いられている。
【０００３】
従来の光源を用いた照明装置においては、調光制御装置等の外部機器からの調光信号等の制御信号に応じて、光源を調光可能なように構成してある照明装置が広く用いられている。そして、ＬＥＤを光源として用いる照明装置においても同様に、外部機器からの調光信号に応じて光源を調光可能なように構成された照明装置が種々提案されている（例えば、特許文献１参照）。
【０００４】
特許文献１に開示された照明器具は、外部から電力が供給される電源部と、該電源部からの電力の供給により点灯する発光部とを備え、電源部は、外部機器である調光制御装置からの調光信号に応じて前記発光部の明るさを制御するように構成してある。
【先行技術文献】
【特許文献】
【０００５】
【特許文献１】特開２００７−２３４４１５号公報
【発明の概要】
【発明が解決しようとする課題】
【０００６】
ところで、例えば、オフィス、店舗等の室内においては、壁等に設けた１つの調光制御装置により室内に設けた複数の照明装置に対して調光制御可能に構成された照明システムが採用されている。このような照明システムにおいては、調光制御装置により調光信号が照明装置に供給されると共に、調光制御装置を介して外部電源からの電力が照明装置に供給されるように構成してあるのが一般的である。そして、照明装置は、照明装置の電源部への給電に応じて発光部を点灯して、調光制御装置から供給される調光信号に基づいて光源の光量を制御するように構成してある。
【０００７】
このように構成された照明装置においては、照明装置の電源部への給電の後に、調光制御装置からの調光信号が照明装置に供給され、まず発光部が出力１００％にて点灯した後に、調光信号に応じた明るさにて点灯することになることがある。即ち、一瞬明るく光った後に暗くなることがあり、使用者に違和感を与えるという問題があった。
【０００８】
本発明は斯かる事情に鑑みてなされたものであり、制御信号が供給された後に光源を点灯することが可能なように構成することにより使用者に違和感を与えずにすむ照明装置及び照明システムを提供することを目的とする。
【課題を解決するための手段】
【０００９】
本発明に係る照明装置は、調光制御装置により制御信号が供給されるとともに、前記調光制御装置を介して外部電源からの電力が供給される照明装置であって、前記調光制御装置からの制御信号が供給される調光部と、前記調光制御装置を介して前記外部電源からの電力が供給される電源部と、該電源部からの電力の供給により点灯する光源とを備え、該光源の光量を前記制御信号に基づいて制御する照明装置において、前記電源部は、前記調光制御装置を介して供給される電源電圧を検出する電源電圧検出部と、該電源電圧検出部による検出電圧が設定値以上のときに、前記光源に電力を供給させる電源制御部とを有し、前記調光部は、前記電源部が前記光源に供給する電力を前記制御信号に応じて変化させるようにしてあり、前記設定値は、前記制御信号が与えられた時点において前記電源部に供給される電源電圧の値になるように、予め設定してあることを特徴とする。
【００１０】
本発明にあっては、制御信号が、電源部の電源電圧が最低動作電圧に達した後に遅延して供給されたとしても、最初から前記制御信号に応じた光量で光源を点灯させる点灯手段を備えているから、制御信号が供給された後に光源を点灯させることができ、光源は制御信号に応じた光量にて最初から点灯することになる。この結果、使用者に違和感を与えずにすむ。
【００１１】
本発明にあっては、電源部に外部から供給される電源電圧を検出して、前記制御信号が供給された時に光源に電力を供給するように構成してある。一つの閾値の判定のみという簡易な制御により、制御信号が供給された後に光源を点灯するように構成することができ、使用者に違和感を与えずにすむ。
【００１２】
本発明に係る照明装置は、前記電源制御部は、前記光源の点灯後、前記検出電圧が、前記電源部の最低動作電圧よりも大きく、且つ前記光源の点灯開始電圧よりも小さい点灯終了電圧に達したときに、前記光源に電力を供給するのを停止することを特徴とする。
【００１３】
本発明にあっては、電源電圧検出部により検出される電源電圧が低下したことから、電源部に供給されている電力が遮断されつつあることを検知したときに、光源への電力の供給を停止する。
【００１４】
本発明に係る照明装置は、前記電源制御部は、前記電源部への給電の開始（又は終了）に応じて、前記光源に供給する電流及び／又は電圧を逓増（又は逓減）させることを特徴とする。
【００１５】
本発明にあっては、電源部への給電の開始（又は終了）に応じて、光源に供給する電流及び／又は電圧を逓増（又は逓減）させるように構成してある。例えば、点灯開始時は、電源部への給電の開始に応じて、光源に供給する電流及び／又は電圧を、０の状態から徐々に上昇させ、一定時間後に制御信号に応じた調光レベルにて点灯させる。これにより、使用者に違和感を与えずにすむ。
【００１６】
本発明に係る照明装置は、前記光源はＬＥＤであることを特徴とする。
本発明に係る照明システムは、上述の照明装置と、該照明装置に制御信号を供給すると共に、外部電源からの電力を供給する調光制御装置とを備えることを特徴とする。
【００１７】
本発明にあっては、光源としてＬＥＤを用いているから、電流及び／又は電圧を変更しての光量（発光強度）を変更することにより、調光制御をきめ細かく行うことができる。
【発明の効果】
【００１８】
本発明によれば、制御信号が供給された後に光源を点灯するように構成することにより使用者に違和感を与えずにすむ。
【図面の簡単な説明】
【００１９】
【図１】本発明の実施の形態１に係る照明装置を備える照明システムの概略構成を示すブロック図である。
【図２】本発明の実施の形態１に係る照明装置の主要部の概略構成を示すブロック図である。
【図３】実施の形態１に係る照明装置の主要部における信号波形の一例を示す図である。
【図４】照明装置の起動時における電源制御の処理手順の一例を示すフローチャートである。
【図５】本発明の実施の形態２に係る照明装置の主要部における信号波形の一例を示す図である。
【図６】照明装置の起動時における電源制御の処理手順の他の例を示すフローチャートである。
【図７】照明装置の主要部の概略構成を示すブロック図の他の例である。
【発明を実施するための形態】
【００２０】
以下、本発明をその実施の形態を示す図面に基づいて詳述する。
（実施の形態１）
図１は、本発明の実施の形態１に係る照明装置を備える照明システムの概略構成を示すブロック図である。実施の形態１に係る照明装置１００は、調光制御装置２００に接続され、該調光制御装置２００により電力が供給される電源部１と、調光制御装置２００に接続され、該調光制御装置２００により制御信号が与えられ、与えられた制御信号に応じた信号を電源部１に与える調光部２と、電源部１に接続され、該電源部１からの電力の供給により点灯する発光部３とを備えてなる。調光制御装置２００は、商用電源等の外部電源に接続される接続端子と、照明装置１００に電力及び調光信号である制御信号を出力する出力端子とを備えている。
【００２１】
図２は、本発明の実施の形態１に係る照明装置１００の主要部の概略構成を示すブロック図である。電源部１は、交流電流に含まれるノイズを除去するノイズフィルタ回路部１１を備えている。ノイズフィルタ回路部１１の一端には、調光制御装置２００の出力端子が接続してあり、他端には、整流回路部１２の一端が接続してある。ノイズフィルタ回路部１１は、調光制御装置２００を介して商用電源から供給される交流電流に含まれるノイズの流入、調光制御装置２００を介して商用電源へのノイズの流出を防止する。整流回路部１２は、例えば、ダイオードブリッジであり、ノイズフィルタ回路部１１によりノイズが除去された交流電流の全波整流を行う。
【００２２】
整流回路部１２の他端には、平滑回路部１３が接続してあり、平滑回路部１３は、整流回路部１２により与えられた電力の変動を抑える平滑化を行う。平滑回路部１３の他端には、スイッチング回路部１４が接続してあり、スイッチング回路部１４には、平滑回路部１３により平滑化された電力が供給される。
【００２３】
スイッチング回路部１４は、平滑回路部１３からの電力供給を受けてスイッチング動作をして、例えば１００Ｖの電源電圧を３５Ｖの電源電圧に降圧する。スイッチング回路部１４には、定電流制御部１５及び定電圧制御部１６が接続してある。
【００２４】
定電流制御部１５は、発光部３に供給される電流を設定値になるように制御するように構成してある。即ち、スイッチング回路部１４により与えられた出力電流が設定値になるようにスイッチング回路部１４のスイッチング動作を制御する（例えば、スイッチング回路部１４により与えられた出力電流が設定値を超えたとき、スイッチング回路部１４のスイッチング動作を止める）ことにより、電源部１から発光部３に供給される電流を一定に保つフィードバック制御をなす。なお、電流の設定値は、後述する調光部２により与えられる。
【００２５】
定電圧制御部１６は、発光部３に供給される電圧を設定値になるように制御するように構成してある。即ち、スイッチング回路部１４により与えられた出力電圧が設定値になるようにスイッチング回路部１４のスイッチング動作を制御する（例えば、スイッチング回路部１４により与えられた出力電圧が設定値を超えたとき、スイッチング回路部１４のスイッチング動作を止める）ことにより、電源部１から発光部３に供給される電圧を一定に保つフィードバック制御をなす。なお、電圧の設定値は、後述する調光部２により与えられる。
【００２６】
また、電源部１の整流回路部１２には、電源電圧検出部１７が接続してある。電源電圧検出部１７は、整流回路部１２に供給される電圧を検出することにより、調光制御装置２００から電源部１に供給される電源電圧を検出する。電源電圧検出部１７には、電源制御部１８が接続してあり、電源制御部１８には、電源電圧検出部１７により検出された電源電圧値が与えられる。電源制御部１８には、スイッチング回路部１４が接続してある。電源制御部１８は、与えられた電源電圧値に応じて、後述するように、スイッチング回路部１４を制御するように構成してある。電源制御部１８が、後述するように、制御信号が供給された後に光源である発光部３を点灯させる点灯手段として機能する。
【００２７】
このように構成された電源部１には、発光部３が接続してある。発光部３は、例えば、複数のＬＥＤからなる。これら複数のＬＥＤは、例えば、ＬＥＤ素子と、該ＬＥＤ素子を封止し、蛍光体が分散された封止樹脂と、入力端子及び出力端子とを備えてなる表面実装型ＬＥＤである。
【００２８】
一方、調光部２は、調光制御装置２００の出力端子に端子台（図示せず）を介してその一端が接続される信号整流部２２を備えている。信号整流部２２には、調光制御装置２００により制御信号である調光信号が与えられる。調光信号は、正のパルス信号であり、調光レベル（明るさのレベル）に応じてデューティ比の異なるＰＷＭ信号である。信号整流部２２は、与えられた調光信号の整流を行い、これにより、端子台に調光信号の信号線の接続方向の如何にかかわらず（端子台に信号線が逆に接続された場合においても）、同一の調光信号を得ることができる。
【００２９】
信号整流部２２の他端には、絶縁インターフェース部（絶縁Ｉ／Ｆ部）２３の一端が接続してあり、絶縁インターフェース部２３の他端には、デジタル信号である調光信号をアナログ電圧に変換する変換部２４が接続してある。絶縁インターフェース部２３は、例えば、フォトカプラであり、調光制御装置２００の側と照明装置１００の側とを電気的に絶縁してあるから、照明装置１００（又は調光制御装置２００）の構成部品の故障等による影響を調光制御装置２００（又は照明装置１００）に与えることがなく、信頼性又は安全性を確保することができる。
【００３０】
変換部２４は、ローパスフィルタであり、例えば、１（ｋＨｚ）の調光信号に対して１００（Ｈｚ）以上をカットするローパスフィルタを用いて、パルス信号を積分して電圧に変換することにより、調光制御装置２００により与えられた制御信号であるＰＷＭ信号をＰＷＭ信号のパルス幅に応じたアナログ電圧に変換する。
【００３１】
変換部２４には、スケーリングアンプ部２５，２６夫々の一端が接続してある。スケーリングアンプ部２５の他端には、定電流制御部１５が接続してある。スケーリングアンプ部２５には、変換部２４によりアナログ電圧に変換された調光信号が与えられる。スケーリングアンプ部２５は、変換部２４により変換された電圧を定電流制御部１５において規定されるアナログ電圧に変換して、変換されたアナログ電圧を定電流制御部１５に出力する。定電流制御部１５の設定値は、スケーリングアンプ部２５により与えられたアナログ電圧に応じた電流値に変更されることになる。
【００３２】
一方、スケーリングアンプ部２６の他端には、定電圧制御部１６が接続してある。スケーリングアンプ部２６には、変換部２４によりアナログ電圧に変換された調光信号が与えられる。スケーリングアンプ部２６は、変換部２４により変換された電圧を定電圧制御部１６において規定されるアナログ電圧に変換して、変換されたアナログ電圧を定電圧制御部１６に出力する。定電圧制御部１６の設定は、スケーリングアンプ部２６により与えられたアナログ電圧に応じた電圧値に変更されることになる。
【００３３】
このように制御信号に応じて電源部１の出力電流及び出力電圧の大きさを変化させることにより、発光部３の光量が大であるときは、発光部３が定電流制御部１５の設定電流に応じて発光させ、発光部３の光量が小であるときは、発光部３が定電圧制御部１６の設定電圧に応じて発光させるように構成してある。
【００３４】
以上のように構成された照明装置１００において、調光制御装置２００により電源部１に電力が供給され、調光制御装置２００により調光部２に制御信号が供給されたとき、電源制御部１８は、制御信号が供給された後に発光部３に電力を供給すべく、電源電圧検出部１７により与えられた検出電圧に応じて、スイッチング回路部１４を制御するように構成してある。図３は、実施の形態１に係る照明装置１００の主要部における信号波形の一例を示す図である。図３（ａ）は、電源部１に供給される電源電圧の波形であり、横軸は時間を、縦軸は電源電圧Ｖを夫々示している。図３（ｂ）は、調光制御装置２００から調光部２に与えられる制御信号波形であり、横軸は時間を、縦軸は制御信号のオン／オフを夫々示している。なお、制御信号は、多数のパルス信号を簡略して一つの矩形波として表している。図３（ｃ）は、スイッチング回路部１４のスイッチング動作であり、横軸は時間を、縦軸はスイッチング動作のオン／オフを夫々示している。
【００３５】
図３（ａ）に示すように、調光制御装置２００による電源部１への電力供給に伴って、電源部１の電源電圧は立ち上がり、所定値である最低動作電圧Ｖｏに到達する。電源制御部１８は、この時点から所定時間Ｔｄ経過後にスイッチング回路部１４のスイッチング動作を開始するように構成してある。このスイッチング動作に伴って発光部３は制御信号に応じた調光状態にて点灯する。なお、この時の点灯開始電圧はＶｓである。また、電源制御部１８は検出電圧が点灯終了電圧Ｖｆに到達したとき、スイッチング回路部１４の動作を停止するように構成してある。なお、所定時間Ｔｄは、図３（ｂ）に示す制御信号の遅延時間に基づいて予め設定してある。
【００３６】
図４は、照明装置１００の起動時における電源制御の処理手順の一例を示すフローチャートである。まず、電源電圧検出部１７において電源電圧Ｖを検出する（ステップＳ１）。ステップＳ１において検出された電源電圧Ｖを用いて、検出された電源電圧Ｖが所定値Ｖｏ以上であるか否かを判定する（ステップＳ２）。ステップＳ２において、電源電圧Ｖが所定値Ｖｏ以上であると判定された場合（ステップＳ２：ＹＥＳ）、ステップＳ３に進む。一方、ステップＳ２において、電源電圧Ｖが所定値Ｖｏより小さいと判定された場合（ステップＳ２：ＮＯ）、ステップＳ１に戻って一連の動作を繰り返す。
【００３７】
ステップＳ３において、タイマをスタートする。次に、経過時間Ｔが所定時間Ｔｄ以上であるか否かを判定する（ステップＳ４）。ステップＳ４において、経過時間Ｔが所定時間Ｔｄ以上であると判定された場合（ステップＳ４：ＹＥＳ）、スイッチング回路部１４のスイッチング動作を開始して（ステップＳ５）、電源制御の動作を終了する。一方、ステップＳ４において、経過時間Ｔが所定時間Ｔｄより短いと判定された場合（ステップＳ４：ＮＯ）、ステップＳ４に戻って一連の動作を繰り返す。
【００３８】
以上のように構成された照明装置１００においては、電源部１に外部から供給される電源電圧を検出して、検出電圧が所定値Ｖｏ以上になった後、所定時間Ｔｄ経過後に発光部３に電力を供給するように電源部１を制御するように構成してあるから、制御信号が供給された後に発光部３を点灯させることができる。この結果、発光部３は制御信号に応じた光量にて最初から点灯することになるから、使用者に違和感を与えずにすむ。
【００３９】
発光部３の最低動作電圧、より詳細には、電源部１を構成する回路の最低動作電圧であり、この電源部１の動作開始と同時に発光部３が点灯する最低動作電圧を所定値Ｖｏとしている。即ち、電源部１に供給される電源電圧が、本来、発光部３が点灯することができる電圧に到達した時点を基準として、その時点から所定時間Ｔｄ経過後に発光部３に電力を供給している。従って、所定時間Ｔｄを制御信号の遅延時間に基づいて適切に設定することにより、確実に制御信号が供給された後に発光部３を点灯するように構成することができる。所定時間Ｔｄは、最低動作電圧に達してから調光制御装置２００からの制御信号が供給されるまでの時間以上であればよく、電子部品のばらつきを考慮して、例えば、最低動作電圧に達してから調光制御装置２００からの制御信号が供給されるまでの時間が約７００（ｍｓｅｃ）である場合、約１（ｓｅｃ）に設定する。
【００４０】
（実施の形態２）
実施の形態１においては、電源部１に外部から供給される電源電圧を検出して、検出電圧が所定値Ｖｏ以上になった後、所定時間Ｔｄ経過後に発光部３に電力を供給するように電源部１を制御するように構成してあるが、制御信号が供給された後に発光部３を点灯すべく、電源部１への給電開始時よりも、所定時間以上、電源部１の発光部３の給電を遅延させる制御方法はこれに限定されない。他の制御例を実施の形態２として、以下説明する。なお、照明装置の主要部の概略構成は、実施の形態１の照明装置１００と同様であるので、図示及び説明は省略する。
【００４１】
図５は、本発明の実施の形態２に係る照明装置の主要部における信号波形の一例を示す図である。図５（ａ）は、電源部１に供給される電源電圧の波形であり、横軸は時間を、縦軸は電源電圧Ｖを夫々示している。図５（ｂ）は、調光制御装置２００から調光部２に与えられる制御信号波形であり、横軸は時間を、縦軸は制御信号のオン／オフを夫々示している。なお、制御信号は、多数のパルス信号を簡略して一つの矩形波として表している。図５（ｃ）は、スイッチング回路部１４のスイッチング動作であり、横軸は時間を、縦軸はスイッチング動作のオン／オフを夫々示している。
【００４２】
図５（ａ）に示すように、調光制御装置２００による電源部１への電力供給に伴って、電源部１の電源電圧は立ち上がり、設定値である点灯開始電圧Ｖｓ’に到達する。電源制
御部１８は、この時点からスイッチング回路部１４のスイッチング動作を開始するように構成してある。このスイッチング動作に伴って発光部３は制御信号に応じた調光状態にて点灯する。また、電源制御部１８は検出電圧が点灯終了電圧Ｖｆに到達したとき、スイッチング回路部１４の動作を停止するように構成してある。なお、設定値である点灯開始電圧Ｖｓ’は、本実施の形態においては、制御信号が与えられる時点における電源部１の電
源電圧の値、換言すると電源部１の電源電圧の立ち上がり曲線に対して制御信号が供給される時間（図５（ｂ）の制御信号がオンになる時間）で線を引いたときの交点の値（Ｖｓ’）になるように予め設定してある。この点灯開始電圧Ｖｓ’は、制御信号が与えられる
時点における電源部１の電源電圧の値以上であればよく、電子部品のばらつきを考慮して、若干の余裕を加味して設定してあることがより望ましい。
【００４３】
図６は、照明装置１００の起動時における電源制御の処理手順の他の例を示すフローチャートである。まず、電源電圧検出部１７において電源電圧Ｖを検出する（ステップＳ１１）。ステップＳ１１において検出された電源電圧Ｖを用いて、検出された電源電圧Ｖが設定値Ｖｓ’以上であるか否かを判定する（ステップＳ１２）。ステップＳ１２において
、電源電圧Ｖが設定値Ｖｓ’以上であると判定された場合（ステップＳ１２：ＹＥＳ）、
スイッチング回路部１４のスイッチング動作を開始して（ステップＳ１３）、電源制御の動作を終了する。一方、検出された電源電圧Ｖが設定値Ｖｓ’より小さいと判定された場
合（ステップＳ１２：ＮＯ）、ステップＳ１１に戻って一連の動作を繰り返す。
【００４４】
以上のように構成された照明装置１００においては、電源部１に外部から供給される電源電圧を検出して、検出電圧が設定値Ｖｓ’以上になった後、発光部３に電力を供給する
ように電源部１を制御するように構成してあるから、一つの閾値の判定のみという簡易な制御により、制御信号が供給された後に発光部３を点灯するように構成することができ、使用者に違和感を与えずにすむ。また、制御信号が与えられる時点における電源部１に供給される電源電圧の値を設定値にしているから、遅延時間を抑えつつ、制御信号が供給された後に発光部３を点灯するように構成することができる。
【００４５】
以上の実施の形態においては、電源電圧検出部１７により検出された電源部１の電源電圧を、外部からの制御信号が供給された後に発光部３を点灯するための制御に用いているが、これに限定されず、例えば、照明装置点灯時に、発光部３に供給する電力を徐々に上げていき、一定時間後に規定照度にて点灯する所謂フェードイン点灯の制御にも用いることができる。以下、この制御について説明する。
【００４６】
図７は、照明装置の主要部の概略構成を示すブロック図の他の例である。電源制御部１８は、調光部２ａの変換部２４とスケーリングアンプ部２５，２６との間に接続してある。電源制御部１８は、電源電圧検出部１７により検出された電源電圧により電源部１への給電を検知したとき（電源電圧Ｖが０より大）、例えば、最初に調光レベル５％に対応するアナログ電圧値をスケーリングアンプ部２５，２６に夫々与え、一定時間後に、制御信号により設定される調光レベルに到達するように、所定時間間隔にて徐々に上げていく調光レベルに対応するアナログ電圧値をスケーリングアンプ部２５，２６に夫々与えるように構成してある。また、電源制御部１８は、電源電圧検出部１７により検出された電源電圧により電源部１への電力の遮断を検知したとき（電源電圧ＶがＶｆまで減少したとき）、例えば、現在の調光レベルに対応するアナログ電圧値から、一定時間後に、調光レベル０％に到達するように、所定時間間隔にて徐々に下げていく調光レベルに対応するアナログ電圧値をスケーリングアンプ部２５，２６に夫々与えるように構成してある。その他の構成は、図２に示す実施の形態１に係る照明装置１００と同様であるため、対応する構成部材に図２と同一の参照符号を付して、その構成の詳細な説明を省略する。
【００４７】
以上のように、電源電圧検出部１７により検出された電源電圧を用いて、電源部１への給電の開始（又は終了）に応じて、発光部３に供給する電流及び／又は電圧を逓増（又は逓減）させるように電源制御部１８を構成することにより、明るさが徐々に変化するから、使用者に違和感を与えずにすむ。
【００４８】
また、光源としてＬＥＤを用いているから、電流及び／又は電圧を変更してＬＥＤの光量（発光強度）を変更することにより、調光制御をきめ細かく行うことができる。
【００４９】
なお、以上の実施の形態においては、１つの調光制御装置に対して１つの照明装置を接続してある例を示したが、１つの調光制御装置に対して複数の照明装置を接続してもよい。例えば、オフィス、店舗等の室内においては、壁に設けた１つの調光制御装置により室内に設けた複数の照明装置を制御可能に構成してある照明システムが採用されており、本発明に係る照明装置は、このような照明システムに用いることができる。また、以上の実施の形態において説明した回路構成、制御時間の遅延時間等は、一例であって、照明装置が接続される調光制御装置の種類に応じて異なるが、同様の考え方により設定することができる。
【００５０】
また、以上の実施の形態においては、発光部を構成する光源として表面実装型ＬＥＤを用いているが、これに限定されず、他のタイプのＬＥＤを用いてもよい。
【００５１】
さらに、本発明は、その他、特許請求の範囲に記載した事項の範囲内において種々変更した形態にて実施することが可能であることは言うまでもない。
【符号の説明】
【００５２】
１  電源部
１７  電源電圧検出部
１８  電源制御部（点灯手段）
２  調光部
３  発光部（光源）
【図１】
0005306428.tif 000002
【図２】
0005306428.tif 000003
【図３】
0005306428.tif 000004
【図４】
0005306428.tif 000005
【図５】
0005306428.tif 000006
【図６】
0005306428.tif 000007
【図７】
0005306428.tif 000008